(57)【要約】【課題】  安全で作業能率の良い水平移動方式をとりながら、移動時の上部スプレッダとブーム上面側の障害物との干渉を防止する。【解決手段】  ブームの先端に取付けられたジブを起伏させるための上部スプレッダ９の前後両側に左右一対の支持脚２８,２９を下向きに設ける。各支持脚２８,２９にはローラ３１…を設け、ブーム上面の左右両側に設けたレール１９,１９とこのローラ３１…とによって上部スプレッダ９をブーム上面の基端側の位置と先端側の位置との間で移動させるようにした。【選択図】        図５
2005200206.tif 000002
【特許請求の範囲】
【請求項１】
ベースマシンにブーム、このブームの先端にジブがそれぞれ起伏自在に取付けられ、かつ、上記ジブを起伏させるジブ起伏装置として、ジブ起伏ウィンチと、このジブ起伏ウィンチによって巻取り・巻戻し操作されるジブ起伏ロープと、このジブ起伏ロープが掛け回されるジブ起伏用の下部および上部両スプレッダと、上記ブームの頂部に水平軸まわりに前後方向に回動可能に取付けられたストラットと、このストラットとジブとを連結するジブガイラインと、上記ストラットと上記上部スプレッダとを連結するストラットガイラインとを備え、クレーン組立・分解時に、上記上部スプレッダをブーム上面に沿ってブーム基端側の位置と、上記ストラットガイラインに対して連結・分離される先端側の位置との間で移動させるように構成されたタワークレーンにおいて、上記上部スプレッダに、同スプレッダをブーム上面の上方に支持する支持脚が下向きに突設される一方、ブーム上面に、上記支持脚を移動案内する支持脚ガイド部材が設けられたことを特徴とするタワークレーン。
【請求項２】
請求項1記載のタワークレーンにおいて、支持脚が上部スプレッダの前後両側に左右一対ずつ設けられ、上部スプレッダがこの支持脚によってブーム上面で自立可能に構成されたことを特徴とするタワークレーン。
【請求項３】
支持脚ガイド部材としてブーム上面にレールが設けられ、支持脚の下端にこのレール上を転動するローラが設けられたことを特徴とする請求項１または２記載のタワークレーン。
【請求項４】
レールが、ブームを水平にした状態での水平な上面を持った閉断面形状に形成され、ローラがこのレールの上面全幅に亘って接触する筒状に形成されたことを特徴とする請求項３載のタワークレーン。
【請求項５】
支持脚に、レールからのローラの逸脱を阻止するローラ案内部が設けられたことを特徴とする請求項３または４記載のタワークレーン。
【請求項６】
支持脚の下端に前後方向に延びる橇状の支え板が設けられ、この支え板の下面にローラが設けられたことを特徴とする請求項３乃至５のいずれか1項に記載のタワークレーン。
【請求項７】
支え板の前後両端部に斜め上向きに延びる反り返り部が設けられたことを特徴とする請求項６記載のタワークレーン。
【請求項８】
上部スプレッダの重心またはその近傍を通る前後方向の直線上において、上部スプレッダのブーム先端側の端部に、同スプレッダをブーム基端側から先端側に向けて牽引するロープが止め付けられる牽引ロープ止め付け部が設けられたことを特徴とする請求項１乃至７のいずれか1項に記載のタワークレーン。
【請求項９】
牽引ロープ止め付け部が、上部スプレッダの重心よりも低位置に設けられたことを特徴とする請求項８記載のタワークレーン。
【請求項１０】
上部スプレッダの前後方向の片側に、水平なシーブ軸まわりに回転する複数枚の縦シーブを備えた縦シーブブロック、反対側に、垂直なシーブ軸まわりに回転する複数枚の横シーブを備えた横シーブブロックがそれぞれ設けられたことを特徴とする請求項１乃至９のいずれか１項に記載のタワークレーン。
【請求項１１】
縦シーブブロックの平面視での中心線が、横シーブブロックにおけるシーブ軸の中心を通る前後方向の直線とほぼ一致する位置に設定されたことを特徴とする請求項１０記載のタワークレーン。
【発明の詳細な説明】
【技術分野】
【０００１】
本発明はブームの先端にジブを起伏自在に取付けて構成されるタワークレーンに関するものである。
【背景技術】
【０００２】
タワークレーンは、下部走行体と上部旋回体とから成るベースマシンにブーム(タワー)、このブームの先端にジブをそれぞれ起伏自在に取付け、基本的にはブームを一定角度に保持した状態でジブを起伏させてクレーン作業を行う。
【０００３】
なお、ブームとジブの双方を起伏させてクレーン作業を行うもの(ラッフィングタイプ)もあり、本発明はこのタイプのクレーンをも含む。
【０００４】
このようなタワークレーンにおいては、ジブを起伏させるジブ起伏装置としてベースマシン(上部旋回体)に設けられたジブ起伏ウィンチと、このジブ起伏ウィンチによって巻取り・巻戻し操作されるジブ起伏ロープと、このジブ起伏ロープが掛け回される下部及び上部両スプレッダと、ブーム頂部に水平軸まわりに前後方向に回動可能に取付けられたストラットと、このストラットとジブとを連結するジブガイラインと、ストラットと上部スプレッダとを連結するストラットガイラインとを備えている。
【０００５】
上部スプレッダは、組立前は、ブーム基端側に止め付けられた下部スプレッダとの距離を小さくしてジブ起伏ロープの掛け回しを容易にする等の理由から、ブーム基端側の上面に載置され、組立時にブーム先端側、すなわち、ストラットガイラインに連結できる位置まで引き出される。
【０００６】
この場合、上部スプレッダは重くて人力による移動が困難であるため、従来、この上部スプレッダの引き出し、及び分解時の引き戻し操作を、ウィンチの巻上力を利用して行う方法がとられている。
【０００７】
たとえば、組立・分解専用の補助ウィンチから引き出された牽引ロープを上部スプレッダに止め付け、この牽引ロープを巻取りながらジブ起伏ロープを巻戻すことにより、上部スプレッダをブーム基端側の位置から先端側の位置までブーム上面に沿って水平に移動させる方法である。
【０００８】
一方、補助ウィンチとしてフック巻上ウィンチを利用する方法も公知である(特許文献１参照)。
【０００９】
この公知技術においては、ストラットを構成するリアメンバーの先端に組立・分解専用のガイドシーブを設け、フック巻上ウィンチから引き出したフック巻上ロープをこのガイドシーブに通してブーム基端側に折り返し、その先端を上部スプレッダに止め付けた上で、フック巻上ロープを巻取りながらジブ起伏ロープを巻戻す操作を行う。
【００１０】
これにより、上部スプレッダを空中に浮かせてブーム先端側に移動させ、その後、フック巻上ロープを巻戻して同スプレッダをブーム先端側上面に降下させてストラットガイラインに連結する。
【００１１】
また、分解時はこれと逆の手順によって上部スプレッダをブーム基端側の位置に移動させる。
【特許文献１】特開平１１−２９２４７１号公報
【発明の開示】
【発明が解決しようとする課題】
【００１２】
ところが、上部スプレッダをブーム上面に沿って水平移動させる従来の水平移動方式によると、スプレッダ移動時に、スプレッダがブーム上面側に位置する部材(ロープや配管等。以下、障害物という)と干渉し、スプレッダの移動が妨げられるだけでなく、互いに損傷するおそれがあった。
【００１３】
一方、上部スプレッダを空中に浮かせる宙吊り方式では、この干渉は回避できるものの、３００ｋｇ以上もある重い上部スプレッダを浮かせて移動させることから、落下等の危険が伴うため安全上好ましくない。また、ウィンチ操作に慎重を期さなければならないため、水平移動方式の場合よりも作業能率が悪くなる。
【００１４】
そこで本発明は、安全で作業能率の良い水平移動方式をとりながら、移動時の上部スプレッダとブーム上面側の障害物との干渉を防止することができるタワークレーンを提供するものである。
【課題を解決するための手段】
【００１５】
請求項１の発明は、ベースマシンにブーム、このブームの先端にジブがそれぞれ起伏自在に取付けられ、かつ、上記ジブを起伏させるジブ起伏装置として、ジブ起伏ウィンチと、このジブ起伏ウィンチによって巻取り・巻戻し操作されるジブ起伏ロープと、このジブ起伏ロープが掛け回されるジブ起伏用の下部および上部両スプレッダと、上記ブームの頂部に水平軸まわりに前後方向に回動可能に取付けられたストラットと、このストラットとジブとを連結するジブガイラインと、上記ストラットと上記上部スプレッダとを連結するストラットガイラインとを備え、クレーン組立・分解時に、上記上部スプレッダをブーム上面に沿ってブーム基端側の位置と、上記ストラットガイラインに対して連結・分離される先端側の位置との間で移動させるように構成されたタワークレーンにおいて、上記上部スプレッダに、同スプレッダをブーム上面の上方に支持する支持脚が下向きに突設される一方、ブーム上面に、上記支持脚を移動案内する支持脚ガイド部材が設けられたものである。
【００１６】
請求項２の発明は、請求項１の構成において、支持脚が上部スプレッダの前後両側に左右一対ずつ設けられ、上部スプレッダがこの支持脚によってブーム上面で自立可能に構成されたものである。
【００１７】
請求項３の発明は、請求項１または２の構成において、支持脚ガイド部材としてブーム上面にレールが設けられ、支持脚の下端にこのレール上を転動するローラが設けられたものである。
【００１８】
請求項４の発明は、請求項３の構成において、レールが、ブームを水平にした状態での水平な上面を持った閉断面形状に形成され、ローラがこのレールの上面全幅に亘って接触する筒状に形成されたものである。
【００１９】
請求項５の発明は、請求項３または４の構成において、支持脚に、レールからのローラの逸脱を阻止するローラ案内部が設けられたものである。
【００２０】
請求項６の発明は、請求項３乃至５のいずれかの構成において、支持脚の下端に前後方向に延びる橇状の支え板が設けられ、この支え板の下面にローラが設けられたものである。
【００２１】
請求項７の発明は、請求項６の構成において、支え板の前後両端部に斜め上向きに延びる反り返り部が設けられたものである。
【００２２】
請求項８の発明は、請求項１乃至７のいずれかの構成において、上部スプレッダの重心またはその近傍を通る前後方向の直線上において、上部スプレッダのブーム先端側の端部に、同スプレッダをブーム基端側から先端側に向けて牽引するロープが止め付けられる牽引ロープ止め付け部が設けられたものである。
【００２３】
請求項９の発明は、請求項８の構成において、牽引ロープ止め付け部が、上部スプレッダの重心よりも低位置に設けられたものである。
【００２４】
請求項１０の発明は、請求項１乃至９のいずれかの構成において、上部スプレッダの前後方向の片側に、水平なシーブ軸まわりに回転する複数枚の縦シーブを備えた縦シーブブロック、反対側に、垂直なシーブ軸まわりに回転する複数枚の横シーブを備えた横シーブブロックがそれぞれ設けられたものである。
【００２５】
請求項１１の発明は、請求項１０の構成において、縦シーブブロックの平面視での中心線が、横シーブブロックにおけるシーブ軸の中心を通る前後方向の直線とほぼ一致する位置に設定されたものである。
【発明の効果】
【００２６】
本発明によると、上部スプレッダを支持脚と支持脚ガイド部材とによってブーム上面から浮かせた状態で水平移動させるため、スプレッダ移動時に、スプレッダとブーム上面側の障害物との干渉は生じない。
【００２７】
この場合、支持脚及び支持脚ガイド部材はそれぞれスプレッダ及びブーム上面に部分的に、かつ、障害物を避けた位置に設ければよいため、支持脚と障害物との干渉も容易に回避することができる。
【００２８】
従って、スプレッダ移動時の障害物との干渉の問題を解消できるため、スプレッダをブーム基端側の位置と先端側の位置との間でスムーズに移動させることができるとともに、スプレッダ及び障害物の干渉による互いの損傷を防止することができる。
【００２９】
また、請求項２の発明によると、スプレッダを、前後両側に左右一対ずつ設けられた支持脚によってブーム上で自立させることができるため、スプレッダを、傾いたり転倒したりせずに安定良く、かつよりスムーズに移動させることができる。
【００３０】
請求項３〜５の発明によると、スプレッダを、ブーム上面のレールと支持脚のローラとによって軽快に、そして一段とスムーズに移動させることができる。
【００３１】
この場合、請求項４の発明によると、レールそのものが閉断面形状であるため全体として高剛性、高強度となり、このレール全幅部分にローラが接触するため、ガイド作用が長期に亘って安定良く行われる。
【００３２】
また請求項５の発明によると、ローラ案内部によってレールからのローラの逸脱を阻止できるため、スプレッダに横向きの力が働いたときの脱線を防止してスプレッダをより安全に移動させることができる。
【００３３】
請求項６,７の発明によると、支持脚の下端に前後方向に延びる橇状の支え板を設け、この支え板の下面にローラを設けているため、支え板によってスプレッダの前後方向の傾きや転倒を防止し、より安全かつスムーズに移動させることができる。
【００３４】
とくに請求項７の発明によると、支え板の前後両端部に斜め上向きに反り返り部を設けているため、万が一スプレッダが前後方向に傾いても、反り返り部で滑らかな移動を確保できる。また、クレーン分解に際してスプレッダをブーム上面に降下させるときにスプレッダが前後方向に傾いても、反り返り部によってスプレッダをブーム上面に滑らかに接触させ、ブーム上面の損傷を防止することができる。
【００３５】
請求項８,９の発明によると、ロープでスプレッダを牽引する方式をとる場合に、牽引力をスプレッダの重心またはこれに近い位置に作用させることができるため、移動中のスプレッダの左右の傾きを防止することができる。
【００３６】
とくに、牽引ロープ止め付け部を上部スプレッダの重心よりも低位置に設けた請求項９の発明によると、牽引力がスプレッダ重心よりも低位置に加えられることでスプレッダを一層安定良く移動させることができる。
【００３７】
請求項１０,１１の発明によると、スプレッダの前後片側に縦シーブブロック、反対側に横シーブブロックを設けたクロスシーブ配置をとっているため、多数のシーブを狭い面積内に効率良く配置できる。これにより、スプレッダを小型化でき、とくにスプレッダ幅寸法を小さくできるため、スプレッダと障害物の干渉防止効果がより高いものとなる。
【００３８】
加えて請求項１１の発明によると、スプレッダのシーブに掛け回されたロープの張力を、スプレッダ中心線に対してほぼ左右対称に働かせることができる。このため、ロープ張力のアンバランスによるスプレッダの左右の傾きを抑えることができる。
【発明を実施するための最良の形態】
【００３９】
図１にこのタワークレーンのクレーン作業時の状態(組立状態)、図２〜図１０にクレーン組立・分解過程をそれぞれ示す。
【００４０】
各図において、１はクローラ式の下部走行体、２はこの下部走行体１上に旋回自在に搭載された上部旋回体で、これらによってベースマシンＡが構成され、このベースマシンＡの上部旋回体２にブーム(タワー)３がブームフットピン４によって起伏自在に装着される。
【００４１】
このブーム３の先端にはジブ５が張り出され、このジブ５を起伏させて(ラッフィングタイプではブーム３も起伏させて)クレーン作業を行う。
【００４２】
ジブ５を起伏させるためのジブ起伏装置は、ベースマシンＡの上部旋回体２に搭載されたジブ起伏ウィンチ６と、このジブ起伏ウィンチ６によって巻取り／巻戻し操作されるジブ起伏ロープ７と、このジブ起伏ロープ７が多段掛けされる下部及び上部スプレッダ８,９と、ブーム頂部に水平軸まわりに回動可能に取付けられたストラット１０とを備え、上部スプレッダ９とストラット１０とがストラットガイライン１１によって、またストラット１０とジブ先端部とがジブガイライン１２によってそれぞれ連結される。
【００４３】
ストラット１０は、ストラット自重による前後方向の回動モーメントと、ジブ５の自重による前倒れモーメントと、ジブ起伏ロープ７の巻取り力による後倒れモーメントとを受け、作業時にはジブ自重による前倒れモーメントと、これに対抗するジブ起伏ロープ７の支持力とにより、ジブ５の起伏にしたがって前後方向に回動しながらジブ５を支持する。
【００４４】
ジブ起伏ロープ７は、下部及び上部両スプレッダ８,９のシーブ間に多段掛けされ、その端末が下部スプレッダ８に止め付けられる。
【００４５】
また、組立・分解時にストラットガイライン１１をブーム上方に保持する手段として、ブーム頂部にシーブ付きのストラットマスト１３が設けられている。
【００４６】
一方、吊りフック１４をジブ先端から吊下させて巻上／巻戻し動作させるフック巻上装置は、ベースマシンＡの上部旋回体２に搭載されたフック巻上ウィンチ１５と、このフック巻上ウィンチ１５によって巻取り／巻戻し操作されるフック巻上ロープ１６とを備え、このフック巻上ロープ１６が吊りフック１４とジブ先端シーブ１７との間に掛け回されてジブ先端に止めつけられる。
【００４７】
ここで、ストラットマスト１３の高さ方向中間部にフック巻上ガイドシーブ１８が左右方向の水平軸まわりに回転可能に取付けられ、フック巻上ロープ１６がこのフック巻上ガイドシーブ１８にブーム基端側から先端側に向かって通される。
【００４８】
同シーブ１８に通されたフック巻上ロープ１６は、図１に示すクレーン作業時にはジブ先端側に導かれ、クレーン組立・分解時には図２以降に示すようにブーム基端側に折り返されてその先端が上部スプレッダ９に止めつけられる(図３〜図５にこの止め付け部分を拡大して示す)。
【００４９】
上部スプレッダ９と、これをブーム基端側の位置と先端側の位置との間で移動させるための構成を図３〜図６によって説明する。
【００５０】
ブームの基端側から先端側までの一定区間に亘ってブーム上面(ブーム３を図２等に示すように地上に水平に倒した状態での上面。以下にいう上下の方向性について同じ)に、支持脚ガイド部材としての左右一対のレール１９,１９が設けられている。
【００５１】
この両レール１９,１９は四角鋼管等のような水平な上面を持った閉断面形状に形成されている。
【００５２】
一方、上部スプレッダ９は、水平なシーブ軸２０まわりに回転する複数枚(図例では２枚)の縦シーブ２１,２１を備えた縦シーブブロック２２と、垂直なシーブ軸２３まわりに回転する複数枚(図例では２枚)の横シーブ２４,２４を備えた横シーブブロック２５とが、縦シーブブロック２２を前側(ブーム先端側)にして一体化されて成っている。
【００５３】
このようなクロスシーブ配置とすることにより、多数枚のシーブを狭い面積内に効率良く配置することができる。このため、上部スプレッダ９を小型化でき、とくにスプレッダ幅寸法を小さくすることができる。
【００５４】
ここで、縦シーブブロック２２の平面視での中心線Ｌ(図４に示す)が、横シーブブロック２５における垂直シーブ軸２３の中心を通る前後方向の直線と一致する位置(完全一致でなくほぼ一致する位置でもよい)に設定されている。
【００５５】
上記中心線Ｌは、平面視での上部スプレッダ全体の中心線でもあって、かつ、平面視において同スプレッダ９の重心を通る前後方向の直線でもある。以下、これをスプレッダ中心線という。
【００５６】
また、横シーブブロック２５の左右両側にストラットガイライン１１の端末が止め付けられるガイライン止め付け部２６,２６が設けられるとともに、縦シーブブロック２２の前端面に、スプレッダ移動時に牽引ロープ(フック巻上ロープ１６)の端末が止め付けられる牽引ロープ止め付け部２７が設けられている。
【００５７】
この牽引ロープ止め付け部２７は、スプレッダ中心線Ｌ上においてスプレッダ重心よりも低位置に設けられている。
【００５８】
図５中のＭは側面視でのスプレッダ中心線であって、側面視においてスプレッダ重心を通る直線でもある。
【００５９】
この上部スプレッダ９において、縦シーブブロック２２の左右両側に前側支持脚２８,２８、横シーブブロック２５の左右両側に後側支持脚２９,２９がそれぞれ下向きに突設されるとともに、その下端に左右一対の橇状の支え板３０,３０が前後の支持脚２８,２９に跨って水平に取付けられている。
【００６０】
この左右の支え板３０,３０には、前後両端部に斜め上向きに延びる反り返り部３０ａ,３０ａ(図５参照)が設けられるとともに、前後両側に、ブーム側のレール１９,１９上を転動するローラ３１…が水平軸まわりに回転自在に設けられている。
【００６１】
このローラ３１…は、図４,６に示すようにレール幅よりも長い円筒状に形成され、レール１９,１９の上面全幅に亘って接触する。
【００６２】
さらに、両側支え板３０,３０の前後両側に、ローラ３１…のレール１９からの逸脱を阻止するローラ案内部３２…が下向きに突設されている。
【００６３】
図２〜図７は、ブーム３の基端側上面に載置した状態を示す。このとき上部スプレッダ９は、支持脚２９…、支え板３０,３０、ローラ３１…、レール１９によってブーム上面に自立して支持されている。
【００６４】
この状態で、フック巻上ガイドシーブ１９で折り返されたブーム起伏ロープ１７の端末を、図４,５に示すように上部スプレッダ９の牽引ロープ止め付け部２７に止め付けた上で、同ロープ１７を巻取りながらジブ起伏ロープ７を巻戻す。
【００６５】
これにより、上部スプレッダ９を、レール１９,１９とローラ２１,２１のガイド作用を付与しながらブーム上面に沿ってブーム先端側に牽引移動させ、図７及び図８(イ)に示すようにストラットガイライン１１に連結できる位置で移動停止させる。
【００６６】
この場合、縦、横両シーブブロック２２,２５をスプレッダ中心線Ｌに対して左右対称に配置しているため、両シーブブロック２２,２５に多段掛けされたジブ起伏ロープ７の張力を、スプレッダ中心線Ｌに対して左右ほぼ対称に働かせることができる。このため、上部スプレッダ９の移動時に、ロープ張力のアンバランスによる同スプレッダ９の左右の傾きを防止することができる。
【００６７】
また、牽引ロープ止め付け部２７をスプレッダ中心線Ｌ上においてスプレッダ重心よりも低位置に設けているため、次の効果が得られる。
【００６８】
Ｉ)  ロープ牽引力をスプレッダ重心に作用させることができる。このため、スプレッダ移動中の左右の傾きを防止することができる。
【００６９】
ＩＩ)  スプレッダ重心よりも低位置に牽引力を加えるため、スプレッダ移動中の前後の傾きをも防止し、上部スプレッダ９を水平姿勢で移動させることができる。
【００７０】
さらに、レール１９を断面四角形とし、ローラ３１をこのレール１９の上面全幅に亘って接触させるため、上部スプレッダ９を安定良く支持しながらスライドさせることができる。その上、レール１９そのものが全体として高剛性、高強度となるため、ガイド作用が長期に亘って安定良く行われる。
【００７１】
この後、図８(ロ)に示すように、上部スプレッダ９のロープ止め付け部２７からフック巻上ロープ１６を外し、代わりにストラットガイライン１１をガイライン止め付け部２６,２６に連結するともに、フック巻上ロープ１６を作業時の態勢にセットし、その上で図９に示すようにブーム３及びジブ５の起こし操作を行って図１に示す作業時の態勢とする。
【００７２】
この場合、ストラットガイライン１１の張力が上部スプレッダ９の自重成分よりも大きくなった状態で同スプレッダ９がレール１９,１９(ブーム上面)から離れる。
【００７３】
なお、上記上部スプレッダ９の水平移動動作をストラット１０の自力組立、すなわち、ブーム先端部で折り畳まれたストラット１０を開く作業にも利用することができる。この場合、上部スプレッダ９をブーム先端側から基端側に移動させることによりストラットガイライン１１を引いて上部スプレッダ９を開く操作を行う。これにより、ストラット１０の自力組立作業を安全に能率良く行うことができる。
【００７４】
また、クレーン分解時には、上記組立時と逆の手順で操作を行う。
【００７５】
このように、上部スプレッダ９を支持脚２８,２９、支え板３０,３０、ローラ３１…及びレール１９,１９(以下、これらを支持脚等という)によってブーム上面から浮かせた状態で水平移動させるため、スプレッダ移動時に、上部スプレッダ９とブーム上面側の障害物との干渉は生じない。
【００７６】
この場合、支持脚等は上部スプレッダ９及びブーム上面に部分的に設ければよく、かつ、その位置は障害物を避け得る位置として選択できるため、支持脚等と障害物との干渉も容易に回避することができる。
【００７７】
従って、スプレッダ移動時の障害物との干渉の問題を解消できるため、上部スプレッダ９をブーム基端側の位置と先端側の位置との間でスムーズに移動させることができるとともに、上部スプレッダ９及び障害物の干渉による損傷を防止することができる。
【００７８】
しかも、上部スプレッダ９を支持脚等によってブーム３上で自立させた状態で、傾いたり転倒したりせずに安定良く、そしてローラ３１…とレール１９,１９とによって最小限の摩擦抵抗で軽快に移動させることができる。
【００７９】
さらに、支え板３０,３０の前後両端部に斜め上向きの反り返り部３０ａ,３０ａを設けているため、万が一上部スプレッダ９が前後方向に傾いても、反り返り部３０ａ,３０ａで滑らかな移動を確保できる。
【００８０】
また、クレーン分解に際して上部スプレッダ９をブーム上面に降下させるときに、上部スプレッダ９が前後方向に傾いても、反り返り部３０ａ,３０ａによって同スプレッダ９をブーム上面に滑らかに接触させ、ブーム上面の損傷を防止することができる。
【００８１】
一方、この実施形態によると、フック巻上装置の一部として元々ブーム頂部に設けられたフック巻上ガイドシーブ１８を、クレーン組立・分解時にフック巻上ロープ１６を上部スプレッダ９に導くガイドシーブとして兼用するため、フック巻上ロープ１６とジブ起伏ロープ７とによって上部スプレッダ９をブーム基端側と先端側との間で移動させる手法をとりながら、上部スプレッダ移動専用のガイドシーブをブーム頂部に別途設ける必要がなくなる。
【００８２】
これにより、ブーム先端部の重量を増やすことなく自力組立可能なタワークレーンとすることができる。
【００８３】
他の実施形態
(１)  上記実施形態では、フック巻上ロープ１６を上部スプレッダ９の牽引ロープとして利用する場合を例示したが、別途設けられた専用の補助ウィンチの補助ロープを牽引ロープとして用いるようにしてもよいし、別クレーンによって牽引力を得るようにしてもよい。
【００８４】
(２)  上記実施形態では支持脚２８,２９の下端に支え板３０,３０を設け、この支え板３０,３０にローラ３１…を設けたが、この支え板３０,３０を省略し、各支持脚２８,２９の下端に直接ローラ３１…を設けてもよい。
【００８５】
(３)  上記実施形態ではブーム上面の左右両側にレール１９,１９を設けたが、上部スプレッダ９の安定した移動が得られることを条件として、このレール１９を中央に１本のみ設けてモノレール形式としてもよい。この場合、上部スプレッダ側の支持脚２８,２９もスプレッダ中央部の前後両側に一つずつ設けることとなる。
【００８６】
あるいは、上部スプレッダ９の支持脚を中央部左右両側のみに設け、この両側支持脚を左右のレール１９,１９に沿って移動させるようにしてもよい。
【００８７】
(４)   レール１９は、上記実施形態で例示した断面四角形のものに限らず、断面三角形や半円状、台形状等としてもよく、このレール断面形状に応じたローラ構造を採用すればよい。
【００８８】
(５)  支持脚ガイド部材として、レール１９に代えて、滑りの良い素材から成るスライドガイド板をブーム上面に設けてもよい。この場合、支持脚のローラ３１…をこのスライドガイド板上で直接転動させるようにしてもよいし、同ガイド板に案内溝を設け、この案内溝内でローラ３１…を転動させるようにしてもよい。
【００８９】
(６)  上部スプレッダ９を牽引する手段として、ベースマシンＡに搭載したウィンチを用いる手段に代えて、ブーム上面等に固定式または着脱式のウィンチを設け、このウィンチからブーム内側やブーム下面側にロープを引き出してブーム基端側から先端側まで導き、上部スプレッダ９を牽引する構成としてもよい。
【図面の簡単な説明】
【００９０】
【図１】本発明の実施形態にかかるタワークレーンのクレーン作業状態の概略側面図である。
【図２】同タワークレーンの組立途中であって上部スプレッダをブーム基端側に載置した状態の概略側面図である。
【図３】図２の状態の一部拡大平面図である。
【図４】図３の一部をさらに拡大した図である。
【図５】図４の側面図である。
【図６】図４のＶＩ−ＶＩ線拡大断面図である。
【図７】図２の状態から上部スプレッダをブーム先端側に移動させた状態の概略側面図である。
【図８】(イ)は図７の状態、(ロ)はさらに上部スプレッダとストラットガイラインとを連結した状態の一部拡大図である。
【図９】図８(ロ)の状態からブーム及びジブを起こす途中の概略側面図である。
【符号の説明】
【００９１】
Ａ  ベースマシン
３  ブーム
５  ジブ
６  ジブ起伏ウィンチ
７  ジブ起伏ロープ
８  ジブ起伏装置を構成する下部スプレッダ
９  同、上部スプレッダ
１０  同、ストラット
１１  同、ストラットガイライン
１２  同、ジブガイライン
１６  上部スプレッダ牽引ロープを兼用するフック巻上ロープ
１８  同、フック巻上ガイドシーブ
１９,１９  支持脚ガイド部材としてのレール
２０  水平なシーブ軸
２１  縦シーブ
２２  縦シーブブロック
２３  垂直なシーブ軸
２４  横シーブ
２５  横シーブブロック
２７  牽引ロープ止め付け部
２８,２９  支持脚
３０,３０  支え板
３０ａ,３０ａ  反り返り部
３１…  ローラ
３２  ローラ案内部
【図１】
2005200206.tif 000003
【図２】
2005200206.tif 000004
【図３】
2005200206.tif 000005
【図４】
2005200206.tif 000006
【図５】
2005200206.tif 000007
【図６】
2005200206.tif 000008
【図７】
2005200206.tif 000009
【図８】
2005200206.tif 000010
【図９】
2005200206.tif 000011